(57)【要約】【課題】低消費電力で迅速に緊急情報を提供することが可能な緊急警報信号受信システム及び方法を提供する。【解決手段】受信部１２は、放送局３より送信された信号を受信し、ＥＷＳ信号判別部１３は、この信号がＥＷＳ信号か否かを判別する。ＥＷＳ検出／未検出信号生成部１４は、信号判別結果に基づいてＥＷＳ検出信号又はＥＷＳ未検出信号を生成し、制御チャネル信号送受信部１５は、基地局１と携帯電話機２との間で遣り取りされる制御チャネル信号に重畳して携帯電話機２に送信する。ＥＷＳ検出／未検出信号判別部２４は、ＥＷＳ検出／制御チャネル信号送受信部２２で受信された制御チャネル信号に重畳されている信号が上記緊急警報信号検出信号であるか上記緊急警報信号未検出信号であるかを判別し、この信号がＥＷＳ検出信号である場合に、電源機能部２５ＡをＯＦＦからＯＮにして放送局３より送信される緊急警報放送を受信可能な状態にする。【選択図】図１
2007281957.tif 000002
【特許請求の範囲】
【請求項１】
基地局と、当該基地局と通信を行い、放送局より送信される放送を受信可能である移動通信端末とを備え、緊急時に当該放送局より送信される緊急警報放送をユーザに提供する緊急警報放送提供システムにおいて、
上記基地局は、
上記放送局より緊急警報放送が送信される旨を示す情報を上記移動通信端末に送信し、
上記移動通信端末は、
上記基地局より上記緊急警報放送が送信される旨を示す情報を受信した場合に、上記放送局より送信される緊急警報放送を受信可能な状態にすることを特徴とする緊急警報放送提供システム。
【請求項２】
上記放送局より緊急警報放送が送信される旨を示す情報は、上記放送局より緊急警報信号を受信した旨を示す情報であることを特徴とする請求項１記載の緊急警報放送提供システム。
【請求項３】
上記基地局は、
上記放送局より送信された信号を受信する受信手段と、
上記受信手段で受信された信号が緊急警報信号であるか否かを判別し、当該判別結果に基づく信号判別結果情報を生成する第１の信号判別手段と、
上記第１の信号判別手段で生成された信号判別結果情報に基づいて緊急警報信号検出信号又は緊急警報信号未検出信号を生成する信号生成手段と、
上記信号生成手段で生成された緊急警報信号検出信号又は緊急警報信号未検出信号を、当該基地局と上記移動通信端末との間で送受信される制御チャネル信号に重畳して上記移動通信端末に送信する送信手段とを備え、
上記移動通信端末は、
上記送信手段より送信された制御チャネル信号に重畳されている信号が、上記緊急警報信号検出信号であるか上記緊急警報信号未検出信号であるかを判別する第２の信号判別手段と、
上記第２の信号判別手段で判別された信号が上記緊急警報信号検出信号である場合に、上記放送局より送信される緊急警報放送を受信可能な状態にする緊急放送受信制御手段と
を備えることを特徴とする請求項１記載の緊急警報放送提供システム。
【請求項４】
上記緊急放送受信制御手段は、上記第２の信号判別手段で判別された信号が上記緊急警報信号である場合に、緊急警報放送受信機能の電源をオフからオンにすることを特徴とする請求項３記載の緊急警報放送提供システム。
【請求項５】
基地局と、当該基地局と通信を行い、放送局より送信される放送を受信可能である移動通信端末とを備え、緊急時に当該放送局より送信される緊急警報放送をユーザに提供する緊急警報放送提供システムに用いられる方法において、
上記基地局は、
上記放送局より緊急警報放送が送信される旨を示す情報を上記移動通信端末に送信し、
上記移動通信端末は、
上記基地局より上記緊急警報放送が送信される旨を示す情報を受信した場合に、上記放送局より送信される緊急警報放送を受信可能な状態にすることを特徴とする緊急警報放送提供方法。
【発明の詳細な説明】
【技術分野】
【０００１】
本発明は、緊急時に、ユーザに緊急警報放送を提供する緊急警報放送提供システム及び緊急警報放送提供方法に関する。
【背景技術】
【０００２】
近年、大地震に代表される自然災害等の緊急時に警報を伝達する手段として、緊急警報放送システム（ＥＷＳ：Emergency Warning System）が注目されている。現在、テレビジョン放送受信機能やラジオ放送受信機能が搭載された携帯電話機等の移動通信端末（以下、「通信端末」という。）が社会に広く普及しているのに伴い、緊急時にＥＷＳ信号を通信端末に送信して緊急警報放送を提供する方法が考えられている。
【０００３】
このように、通信端末がＥＷＳ信号等のデータを受信するためには、予めテレビジョン法送受信機能やラジオ放送受信機能の機能部の電源をＯＮしておく、又はスタンバイ状態にしておく必要があるが、電源がＯＮの状態やスタンバイ状態では、電力が消費されてバッテリの持続時間を大幅に低減させてしまう。
【０００４】
ところで、通信端末にＥＷＳ信号を送信して緊急警報放送を提供する方法とは別に、緊急情報を配信する方法もある。
【０００５】
例えば、以下の特許文献１には、緊急送信元等に異常が発生し、緊急事態であることをユーザに知らせるために、インターネット、電話通信網等を用いて緊急情報のデータをユーザに送信する技術が記載されている。この特許文献１に記載された技術によれば、携帯電話による通話中、インターネット接続中、放送受信中等、如何なる場合においてもデータ通信を行い、受信したデータが緊急情報のデータであるか否かを判別することができる。受信したデータが緊急情報のデータである場合、音、振動、光等で緊急情報のデータを受信した旨をユーザに知らせ、緊急情報の内容を画面に表示する。ユーザは、緊急情報の内容を確認し、至急対応しなければならない状況であると判断した場合には、現在行っている通信を保留して緊急通信で緊急通信送信元等を制御することができる。
【０００６】
【特許文献１】特開２００５−２９５４１３号公報
【発明の開示】
【発明が解決しようとする課題】
【０００７】
しかしながら、インターネットや電話通信網等を用いて緊急情報を配信する方法では、緊急事態等における回線集中時に回線の使用が制限されてしまうため、ユーザにタイムリーな情報を提供できない場合がある。
【０００８】
本発明は、このような従来の実情に鑑みて提案されたものであり、低消費電力で迅速に緊急情報を提供することが可能な緊急警報放送提供システム及び緊急警報放送提供方法を提供することを目的とする。
【課題を解決するための手段】
【０００９】
上述した目的を達成するために、本発明は、基地局と、当該基地局と通信を行い、放送局より送信される放送を受信可能である移動通信端末とを備え、緊急時に当該放送局より送信される緊急警報放送をユーザに提供する緊急警報放送提供システムにおいて、上記基地局は、上記放送局より緊急警報放送が送信される旨を示す情報を上記移動通信端末に送信し、上記移動通信端末は、上記基地局より上記緊急警報放送が送信される旨を示す情報を受信した場合に、上記放送局より送信される緊急警報放送を受信可能な状態にすることを特徴とする。
【００１０】
また、上述した目的を達成するために、本発明は、基地局と、当該基地局と通信を行い、放送局より送信される放送を受信可能である移動通信端末とを備え、緊急時に当該放送局より送信される緊急警報放送をユーザに提供する緊急警報放送提供システムに用いられる方法において、上記基地局は、上記放送局より緊急警報放送が送信される旨を示す情報を上記移動通信端末に送信し、上記移動通信端末は、上記基地局より上記緊急警報放送が送信される旨を示す情報を受信した場合に、上記放送局より送信される緊急警報放送を受信可能な状態にすることを特徴とする。
【発明の効果】
【００１１】
本発明によれば、ユーザは緊急時に備えてテレビジョン放送受信機能又はラジオ放送受信機能における電源をスタンバイ状態又はＯＮにしておく必要がなく、テレビジョン放送受信機能又はラジオ放送受信機能による消費電力をゼロにすることが可能となる。
【発明を実施するための最良の形態】
【００１２】
以下、本発明を適用した具体的な実施の形態について、図面を参照しながら詳細に説明する。
【００１３】
図１は、本発明を適用した一実施形態における緊急警報放送提供システム１００の構成を示すブロック図である。
【００１４】
緊急警報放送提供システム１００は、テレビジョン放送又はラジオ放送を放送する放送局３より送信される放送波を受信する基地局１と、基地局１と通信を行う携帯電話機２とを備えて構成される。
【００１５】
基地局１は、アンテナ１１Ａ及びアンテナ１１Ｂと、受信部１２と、ＥＷＳ信号判別部１３と、ＥＷＳ検出／未検出信号生成部１４と、制御チャネル信号送受信部１５と、情報チャネル信号送受信部１６と、復調部１７と、通信制御部１８と、変調部１９とを備えて構成される。
【００１６】
受信部１２は、放送局３より送出される放送波をアンテナ１１Ａを介して受信すると、この放送波に対して復調処理を行い、これにより得られた信号に対して符号化等の処理を行う。その後、受信部１２は、符号化されたデジタルデータである信号をＥＷＳ信号判別部１３に供給する。
【００１７】
ＥＷＳ信号判別部１３は、受信部１２より供給された信号がＥＷＳ信号であるか否かを判別してＥＷＳ信号検出又は未検出を示すＥＷＳ信号判別結果情報を生成し、このＥＷＳ信号判別結果情報をＥＷＳ検出／未検出信号生成部１４に供給する。
【００１８】
ＥＷＳ検出／未検出信号生成部１４は、ＥＷＳ信号判別部１３より供給されたＥＷＳ判別結果情報に基づいて、ＥＷＳ信号検出の場合にはＥＷＳ検出信号を、ＥＷＳ信号未検出の場合にはＥＷＳ未検出信号を生成する。その後、ＥＷＳ検出／未検出信号生成部１４は、このＥＷＳ検出信号又はＥＷＳ未検出信号を制御チャネル信号送受信部１５に供給する。
【００１９】
制御チャネル信号送受信部１５は、ＥＷＳ検出／未検出信号生成部１４より供給されたＥＷＳ検出信号又はＥＷＳ未検出信号をそれぞれ制御チャネル信号に重畳し、アンテナ１１Ｂを介して携帯電話機２に送信する。
【００２０】
ここで、制御チャネル信号とは、下記で説明する制御チャネルを構成する任意のチャネルで使用され、基地局１と携帯電話機２との間で位置確認等の情報の遣り取りを行うために送受信される信号である。
【００２１】
図２に示すように、日本のＡＲＩＢ（Association of Radio Industries and Businesses，電波産業会）で標準化されたデジタルセルラー方式の携帯電話システムであるＰＤＣ（Personal Digital Cellular）における無線チャネルは、基地局１と携帯電話機２とが情報の遣り取りを行う制御チャネル（ＣＣＨ：control channel）と、音声等のユーザ情報を伝送する情報チャネル（ＴＣＨ：traffic channel）とから構成される。
【００２２】
ＣＣＨは、報知チャネル（ＢＣＣＨ：broadcasting control channel）と、付随制御チャネル（ＡＣＣＨ：associated control channel）とから構成される。このＣＣＨは、ランダムアクセスにおける衝突を回避するため、時間的タイミングをコントロールしながらデータの送受信を行っている。
【００２３】
ＢＣＣＨは、各セルの所属位置登録エリア番号等、基地局からセル内の全移動局に共通に報知すべき情報を転送するための片方向チャネルであり、共通制御チャネル（ＣＣＣＨ：common control channel）と、ユーザパケットチャネル（ＵＰＣＨ：user packet channel）とから構成される。
【００２４】
ＣＣＣＨは、一斉呼び出しチャネル（ＰＣＨ：paging channel）と、共通双方向制御チャネル（ＳＣＣＨ：signaling control channel）といった２種類のチャネルの総称である。
【００２５】
ＰＣＨは、移動局への着信時に複数のセルで一斉に呼び出すためのチャネルである。基本的に片方向であるが、呼び出しに対する応答を返すために双方向とする場合もある。
【００２６】
ＳＣＣＨは、接続制御に必要な報知及び一斉呼び出し情報以外の制御情報を伝送するための双方向チャネルである。上りチャネルは、発呼要求のように各移動局からランダムに発せられる。
【００２７】
ＵＰＣＨは、無線パケットサービスを提供するためのチャネルである。ユーザ情報を転送するが、複数移動局が共通に使用するという性質を有する。
【００２８】
ＡＣＣＨは、低速ＡＣＣＨ（ＳＡＣＣＨ：slow associated control channel）と、高速ＡＣＣＨ（ＦＡＣＣＨ：fast associated control channel）とから構成される。ＳＡＣＣＨは、音声等のユーザ情報の転送を中断することなく、低速の制御情報を転送するためのチャネルである。ＳＡＣＣＨは、無線チャネルの品質を管理するための情報を転送する場合、特にＲＣＨと呼ばれる。ＲＣＨは、無線区間で閉じている。ＦＡＣＣＨは、ユーザ情報の転送を一時的に中断して制御情報を転送する必要がある場合、中断時間を短くするために制御情報を高速転送できるように設けたチャネルである。
【００２９】
制御チャネル信号のフォーマットは、図３に示すように、６．６ｍｓｅｃをスロット単位とし、６スロットを４０ｍｓｅｃの１フレームとしており、１８フレームで構成されるスーパーフレーム（４０ｍｓｅｃ×１８）をフレーム周期としてこのフレーム周期を繰り返すことにより構成される。
【００３０】
１スロットは、図４に示すように、アドレス信号とメッセージ信号とからなる下位のレイヤを有する。ＥＷＳ検出信号に対応する所定ビットパターン又はＥＷＳ未検出信号に対応する所定ビットパターンは、メッセージ信号の一部領域に付加情報のデータとして割り当てられる。
【００３１】
このように、制御チャネル信号送受信部１５は、ＥＷＳ検出／未検出信号生成部１４より供給されたＥＷＳ検出信号又はＥＷＳ未検出信号を、制御チャネルを構成する任意のチャネルで使用される制御チャネル信号に重畳し、アンテナ１１Ｂを介して携帯電話機２に送信する。
【００３２】
情報チャネル信号送受信部１６は、携帯電話機２と他の電話機とが通話等の通信を行う際、音声等のユーザ情報である情報チャネル信号が変調されている情報チャネルの電波を送受信する。情報チャネル信号送受信部１６は、携帯電話機２又は他の携帯電話機より音声等のユーザ情報の電波を受信すると、この電波を復調部１７に供給する。
【００３３】
復調部１７は、情報チャネル信号送受信部１６より供給された電波に対して復調処理を行うことによりユーザ情報の信号を取り出し、このユーザ情報の信号を通信制御部２０に供給する。
【００３４】
通信制御部１８は、携帯電話機２と他の電話機とが通話等の通信を行う際、復調部１７より供給されたユーザ情報の信号を変調部１９に供給する。
【００３５】
変調部１９は、通信制御部１８より供給されたユーザ情報の信号を情報チャネルの電波に対して変調し、この情報チャネルの電波を情報チャネル信号送受信部１６に供給する。
【００３６】
携帯電話機２は、アンテナ２１Ａ及びアンテナ２１Ｂと、制御チャネル信号送受信部２２と、復調部２３と、ＥＷＳ検出／未検出信号判別部２４と、電源２５Ａ、チューナ２５Ｂ、及び、ディスプレイ及びスピーカを有する出力部２５Ｃを有する放送機能部２５と、情報チャネル信号送受信部２６と、復調部２７と、通信制御部２８と、変調部２９とを備えて構成される。ここで、放送機能部２５が備える電源２５Ａは、予めＯＦＦになっている。
【００３７】
制御チャネル信号送受信部２２は、基地局１が備える制御チャネル信号送受信部１５より送信された制御チャネルの電波をアンテナ２１Ａより受信し、この制御チャネルの電波を復調部２３に供給する。
【００３８】
復調部２３は、制御チャネル信号送受信部２２より供給された制御チャネルの電波より制御チャネル信号を復調し、復調された制御チャネル信号をＥＷＳ検出／未検出信号判別部２４に供給する。
【００３９】
ＥＷＳ検出／未検出信号判別部２４は、復調部２３より供給された制御チャネル信号に組み込まれている付加情報の信号がＥＷＳ検出信号であるかＥＷＳ未検出信号であるかを判別し、付加情報の信号がＥＷＳ検出信号である場合は、放送機能部２５が備える電源２５ＡをＯＦＦからＯＮにする。
【００４０】
チューナ２５Ｂは、電源２５ＡがＯＮにされると、アンテナ２１Ｂを介して放送局３よりテレビジョン放送又はラジオ放送の電波を受信する。
【００４１】
出力部２５Ｃは、チューナ２５Ｂよりテレビジョン放送の電波が受信された場合には、ディスプレイにテレビジョン放送の映像を表示するとともにスピーカよりテレビジョン放送の音声を出力し、チューナ２５Ｂよりラジオ放送の電波が受信された場合には、スピーカよりラジオ放送の音声を出力する。
【００４２】
情報チャネル信号送受信部２６は、携帯電話機２が他の電話機と通話等の通信を行う際、音声等のユーザ情報である情報チャネル信号が変調されている情報チャネルの電波を送受信する。情報チャネル信号送受信部２６は、基地局１より他の携帯電話機における音声等のユーザ情報の電波を受信すると、この電波を復調部２７に供給する。
【００４３】
復調部２７は、情報チャネル信号送受信部２６より供給された電波に対して復調処理を行うことによりユーザ情報の信号を取り出し、このユーザ情報の信号を通信制御部２８に供給する。
【００４４】
通信制御部２８は、携帯電話機２が他の電話機と通話等の通信を行う際、復調部２７より供給されたユーザ情報の信号を変調部２９に供給する。
【００４５】
変調部２９は、通信制御部２８より供給されたユーザ情報の信号を情報チャネルの電波に対して変調し、この情報チャネルの電波を情報チャネル信号送受信部２６に供給する。
【００４６】
本発明を適用した一実施形態における緊急警報放送提供システム１００では、ユーザは緊急時に備えてテレビジョン放送受信機能又はラジオ放送受信機能における電源をスタンバイ状態又はＯＮにしておく必要がなく、テレビジョン放送受信機能又はラジオ放送受信機能による消費電力をゼロにすることが可能となる。
【００４７】
また、本発明を適用した一実施形態における緊急警報放送提供システム１００では、緊急時における通信回線の集中に影響されることなく、ユーザに対して迅速に緊急警報情報を提供することが可能となる。
【００４８】
なお、本発明は上述した実施の形態のみに限定されるものではなく、本発明の要旨を逸脱しない範囲において種々の変更が可能であることは勿論である。
【００４９】
例えば、上述した実施の形態では、放送局３より基地局１にＥＷＳ信号を送信しているが、例えば、地震等の災害発生を予知する機関より基地局１にＥＷＳ信号を送信してもよい。
【００５０】
また、上述した実施の形態では、ＥＷＳ検出信号及びＥＷＳ未検出信号を制御チャネルにおける特定のチャネルの信号に重畳しているが、全てのチャネルにおける信号に重畳してもよい。
【００５１】
また、上述した実施の形態では、テレビジョン放送受信機能及び／又はラジオ放送受信機能を搭載した携帯電話機を用いて説明したが、テレビジョン放送受信機能及び／又はラジオ放送受信機能を搭載した移動通信端末であれば何れのものを用いてもよい。
【図面の簡単な説明】
【００５２】
【図１】本発明を適用した一実施形態における緊急警報放送提供システムの構成を示すブロック図である。
【図２】ＰＤＣにおける無線チャネルの構成を示す図である。
【図３】制御チャネル信号のフォーマットを示す図である。
【図４】制御チャネル信号のフォーマットを構成するスロットを示す図である。
【符号の説明】
【００５３】
１  基地局、２  携帯電話機、３  放送局、１２  受信部、１３  ＥＷＳ信号判別部、１４  ＥＷＳ検出／未検出信号生成部、１５，２２  制御チャネル信号送受信部、２４  ＥＷＳ検出／未検出信号判別部、２５  放送機能部
【図１】
2007281957.tif 000003
【図２】
2007281957.tif 000004
【図３】
2007281957.tif 000005
【図４】
2007281957.tif 000006